(57)【要約】【課題】長期間の中での１時間当たりの積算値の最大値を容易に把握できるような定時報告書の出力装置および方法を提供することを目的とする。【解決手段】  複数の管理対象のデータを計量メータ３から収集する制御部５と、収集した管理対象の積算値データを蓄積する記憶部６と、前記管理対象毎に前記蓄積されたデータの所定期間毎の積算値データを含む、定時報告書１００を出力する出力部７と、を備え、少なくとも、前記所定期間内における１時間当たりの積算値データの最大値と、前記最大値が発生した日時情報とが、前記定時報告書１００に含まれるように、定時報告書の出力装置２を構成する。【選択図】図１
2016201073.tif 000002
【特許請求の範囲】
【請求項１】
複数の管理対象のデータを収集する制御手段と、
収集した前記管理対象のデータを蓄積する記憶手段と、
前記管理対象毎に前記蓄積されたデータの所定期間毎の積算値データを含む、定時報告書を出力する出力手段と、を備え、
少なくとも、前記所定期間内における１時間当たりの積算値データの最大値と、前記最大値が発生した日時情報とが、前記定時報告書に含まれる
ことを特徴とする定時報告書の出力装置。
【請求項２】
制御手段が、複数の管理対象のデータを収集する工程と、
記憶手段が、収集した前記管理対象のデータを蓄積する工程と、
出力手段が、前記管理対象毎に前記蓄積されたデータの所定期間毎の積算値データを含む定時報告書を出力する工程と、を備え、
前記月報、及び/又は、前記年報を出力する工程において、少なくとも、前記所定期間内における１時間当たりの積算値データの最大値と、前記最大値が発生した日時情報とが、前記定時報告書に含まれる
ことを特徴とする定時報告書の出力方法。
【発明の詳細な説明】
【技術分野】
【０００１】
本発明は、日報や月報、年報などの定時報告書の出力装置および方法に関する。
【０００２】
ビルなどを管理する施設管理システムでは、日報や月報、年報などの定時報告書として、管理対象となるポイントごとの積算電力値や、最大値などを出力するものが知られている。
【特許文献１】特開2005-234823
【発明の開示】
【発明が解決しようとする課題】
【０００３】
一般的に、日報では1時間ごとの積算値、月報では1日ごとの積算値、年報では１月ごとの積算値、といったようにそれぞれ積算値が出力されることになる。
【０００４】
月間や年間でも、1時間ごとの偏差の最大値を知る要望はあるが、従来の方法では、期間内の日報を1日ずつ確認することが必要となり、多くの時間を要していた。
【０００５】
そこで本発明では、長期間の中での１時間当たりの積算値の最大値を容易に把握できるような定時報告書の出力装置および方法を提供する。
【課題を解決するための手段】
【０００６】
上記の問題点を鑑みてなされた本発明は、複数の管理対象のデータを収集する制御手段と、収集した前記管理対象のデータを蓄積する記憶手段と、前記管理対象毎に前記蓄積されたデータの所定期間毎の積算値データを含む、定時報告書を出力する出力手段と、を備え、少なくとも、前記所定期間内における１時間当たりの積算値データの最大値と、前記最大値が発生した日時情報とが、前記定時報告書に含まれることを特徴とする定時報告書の出力装置である。
【発明の効果】
【０００７】
本発明によれば、長期間の中での１時間当たりの積算値の最大値を容易に把握することができる。
【発明を実施するための形態】
【０００８】
[第一の実施の形態]
以下、図面を参照して本発明の実施形態に係る定時報告書の出力方法及び装置について説明する。各図において対応する部分には同一符号を付し、かかる部分の重複する説明は省略する。
【０００９】
本発明の実施の形態にかかわる定時報告書の出力装置及び方法は、例えば、施設管理システムに適用される。図１は、施設管理システム１の構成を示した図である。図１に示すように、施設管理システム１は、施設の中央監視室に設けられた中央監視装置２、施設に設けられ各種設備の物理量を計量する計量メータ３、これら計量メータ３からの情報を、通信回線を介して中央監視装置２に送る上位コントローラ４からなる。この場合、施設の中央監視室に設けられた中央監視装置２が、本発明における出力装置に対応する。
【００１０】
中央監視装置２は、制御部５と、記憶部６と、ディスプレイやプリンタなどの出力部７と、キーボードやマウスなどの操作部８と、通信制御部９とを備えている。
【００１１】
制御部５は、通信制御部９を介する上位コントローラ４からの情報を記憶部６に蓄積する。また、制御部５は、記憶部６に格納されたプログラムに従って、記憶部６にアクセスしながら動作する。
【００１２】
記憶部６には、本実施の形態特有のプログラムとして、定時報告書作成プログラムが格納されている。この定時報告書作成プログラムは、例えばＣＤ−ＲＯＭなどの記録媒体に記録された状態で提供され、この記録媒体から読み出されて記憶部６にインストールされている。
【００１３】
計量メータ３は、所定の施設に複数設置され、対応するユーティリティ（電力、ガス、水道など）の使用量を積算計量するものである。本実施の形態では、電力量の計量を例にして説明する。
【００１４】
以下、定時報告書作成プログラムに従って制御装置が実行する処理動作について、図２に示すフローチャートを用いて説明する。
【００１５】
制御部５は、管理対象のデータを収集し（ST１）、収集した管理対象のデータを記憶部６に蓄積する（ST２）。例えば、本実施の形態では、管理対象Ａ，Ｂ，Ｃ，Ｄとして施設の１階、２階、３階、４階の電力データを１分周期で収集し、記憶部６に蓄積する。
【００１６】
管理者より、操作部８を介して定時報告書の作成の指示があると（ST３のＹＥＳ）、制御部５は記憶部６に蓄積されている電力データを読み出し、この読み出した電力データを編集して定時報告書を作成する（ST４）。このとき、管理対象ごとの積算電力値を認識できるように、定時報告書が作成される。そして、その作成した定時報告書を出力部７に送り、ディスプレイの画面に表示したり、プリンタより打ち出す（ST５）。
【００１７】
図３は、制御部５により作成された定時報告書の一例（月報）を示したものである。図３は、2015年4月の月報を示しており、この月報１００の作成は次のようにして行われる。制御部５は、記憶部６に蓄積されている指定された月の管理対象Ａ，Ｂ，Ｃ，Ｄの１か月の電力データを読み出し、その電力データの１日毎の積算値（積算電力値）を求める。そして、横方向に管理対象Ａ，Ｂ，Ｃ，Ｄを並べ、縦方向に「日」を並べ、管理対象と各日との交点に１日毎の積算電力値を書き込む。また、管理対象毎に、積算電力値の合計を求め、月合計として各管理対象の「月合計使用量」欄に書き込む。
【００１８】
そして、対象月における電力使用量の最大値、及び、その日にちを、それぞれ「1日使用量最大」欄、「1日使用量最大日」欄に書き込む。本例の図３における管理対象Aを例にとると、「1日使用量最大」欄には「328」、「1日使用量最大日」欄には「2015/4/29」と書き込まれることになる。
【００１９】
更に本実施の形態においては、対象月における時間使用量の最大値、及び、最大時間使用量であった日時を、「時間使用量最大」欄、「時間使用量最大日時」欄に書き込む。本例の図３における管理対象Aを例にとると、「時間使用量最大」欄には「40」、「時間使用量最大日時」欄には「2015/4/27  13:00-14:00」と書き込まれることになる。
【００２０】
制御部５は、このようにして作成された日報を出力部７へ送り、ディスプレイの画面に表示したり、プリンタより打ち出す。この月報により、管理者は、管理対象間のデータの傾向を比較することができる。これにより、従来の月報では明らかとならなかった時間使用量の最大値と、その最大時間使用量の生じた日時を確認することができるため、期間内の日報を1日ずつ確認する必要がなくなる。
【００２１】
尚、年報の場合には、図4に示すように、対象年における日使用量の最大値、及び、最大時間使用量であった日を、「1日使用量最大」欄、「1日使用量最大日」欄に書き込んでもよい。本例の図４における管理対象Aを例にとると、「1日使用量最大」欄には「520」、「1日使用量最大日」欄には「2015/8/6」と書き込まれることになる。尚、「月使用量最大」や、「月使用量最大月」を追加する様にしてもよい。
【００２２】
［他の実施の形態］
図５は、図３に示した月報の変形例である。ここでは、月報に日ごとの最高気温と日時を表示する様に構成されている。また、図６に示すように、年報の場合にも同様に、月ごとの最高気温と日時を表示してもよい。このように、最高気温と日時を、時間使用量最大と共に月報表示機能で表示することで、電力使用量と外気温度との関係性を容易に把握することが可能となる。尚、最高気温ではなく、例えば、平均気温等を表示してもよい。
【００２３】
以上、本発明の定時報告書の出力装置を実施の形態によって説明したが、この開示の一部をなす記述及び図面は本発明を限定するものではない。本発明の要旨を逸脱しない範囲で、様々な実施の形態を包含することは言うまでもない。
【図面の簡単な説明】
【００２４】
【図１】本発明の第一の実施の形態に係る施設管理システム１の概略図。
【図２】第一の実施の形態に係る定時報告書出力のフローチャート。
【図３】本発明における月報の一例を示した図。
【図４】本発明における年報の一例を示した図。
【図５】本発明における月報の他の例を示した図。
【図６】本発明における年報の他の例を示した図。
【符号の説明】
【００２５】
１                    施設管理システム
２                    中央監視装置
３                    計量メータ
４                    上位コントローラ
５                    制御部
６                    記憶部
７                    出力部
８                    操作部
９                    通信制御部
１００                    定時報告書
【図１】
2016201073.tif 000003
【図４】
2016201073.tif 000004
【図５】
2016201073.tif 000005
【図６】
2016201073.tif 000006
【図２】
2016201073.tif 000007
【図３】
2016201073.tif 000008